(57)【要約】【課題】受信側で放送サービスの休止を識別可能にする送信装置を提供する。【解決手段】多重化部は放送されるコンテンツに係る放送データを多重化して所定の形式の伝送データを生成し、休止状態設定部は前記放送データを送信しない休止状態を設定し、送信処理部は前記休止状態設定部が休止状態を設定するとき、前記休止状態を示す休止状態データを有する所定の形式の伝送データを生成し、当該生成した伝送データ、又は前記多重化部が生成した放送データを有する伝送データを予め定めた時間間隔で放送伝送路に送信する。【選択図】図１１
2014204385.tif 000002
【特許請求の範囲】
【請求項１】
放送されるコンテンツに係る放送データを多重化して所定の形式の伝送データを生成する多重化部と、
前記放送データを送信しない休止状態を設定する休止状態設定部と、
前記休止状態設定部が休止状態を設定するとき、前記休止状態を示す休止状態データを有する所定の形式の伝送データを生成し、当該生成した伝送データ、又は前記多重化部が生成した放送データを有する伝送データを予め定めた時間間隔で放送伝送路に送信する送信処理部と、
を備える送信装置。
【請求項２】
前記休止状態データの一つ当たりの情報量は、前記放送データの送信に割り当てられた情報量に応じた情報量であることを特徴とする請求項１に記載の送信装置。
【発明の詳細な説明】
【技術分野】
【０００１】
本発明は、送信装置に関する。
【背景技術】
【０００２】
放送と通信の融合を目的として、通信ネットワークにおいてデータを伝送する際に広く用いられているＩＰ（Ｉｎｔｅｒｎｅｔ  Ｐｒｏｔｏｃｏｌ）パケットを用いて映像や音声等のコンテンツを示すデータを伝送する放送システムが提案されている。例えば、ＡＲＩＢ  ＳＴＤ−Ｂ４４「高度広帯域衛星デジタル放送の伝送方式」では、非特許文献１に記載のＴＬＶ（Ｔｙｐｅ  Ｌｅｎｇｔｈ  Ｖａｌｕｅ）パケットを用いてＩＰパケットを伝送する。ＴＬＶパケットは、ＩＰパケット、ＩＰヘッダが圧縮されたＩＰパケット、伝送制御信号、その他のデータを格納するパケットであって、放送伝送路での伝送に用いられる。非特許文献２では、放送番組に係るデータを伝送する際のＴＬＶパケットのデータ構造が規定されている。
【０００３】
放送伝送路では、通信ネットワークとは異なり、送信するＩＰパケット、伝送制御信号又はその他のデータの有無に関わらず、データの伝送を停止せずに継続することが求められる。つまり、放送伝送路にデータを送信する送信装置は、送信するデータがない場合でも、伝送路符号化を行って伝送データを生成し、生成した伝送データを放送伝送路に送信する必要がある。そこで、送信装置は、送信するデータが存在しない場合、伝送スロットに非特許文献１で規定されているヌルタイプＴＬＶパケット（ヌルパケット）を挿入して、伝送路符号化を行うことがある。その場合、受信装置は、送信装置から受信したヌルタイプＴＬＶパケットを受信する。
【先行技術文献】
【非特許文献】
【０００４】
【非特許文献１】ＴＬＶパケット、デジタル放送における映像符号化、音声符号化及び多重化方式  標準規格、電波産業会、平成２４年１２月１８日、ＡＲＩＢ  ＳＴＤ−Ｂ３２、２．８版、１８４頁
【非特許文献２】ＴＬＶ用ネットワーク情報テーブル（ＴＬＶ−ＮＩＴ）、デジタル放送に使用する番組配列情報  標準規格、電波産業会、平成２４年９月２５日、ＡＲＩＢ  ＳＴＤ−Ｂ１０、５．１版、５．２．１６、１０６−１０８頁
【発明の概要】
【発明が解決しようとする課題】
【０００５】
しかしながら、受信装置は、受信したヌルタイプＴＬＶパケットだけでは、（ｉ）送信装置が送信するデータがない状態か、（ｉｉ）送信装置を含む各種機器の不具合により送信装置が送信するデータを取得できない状態かを区別することができない。他方、放送事業者において意図的な放送サービスの休止である（ｉ）の状態と、偶発的な障害である（ｉｉ）の状態とを区別することが求められる。
【０００６】
本発明は上記の点に鑑みてなされたものであり、受信側で放送サービスの休止を識別可能にする送信装置を提供する。
【課題を解決するための手段】
【０００７】
（１）本発明は上記の課題を解決するためになされたものであり、本発明の一態様は、放送されるコンテンツに係る放送データを多重化して所定の形式の伝送データを生成する多重化部と、前記放送データを送信しない休止状態を設定する休止状態設定部と、前記休止状態設定部が休止状態を設定するとき、前記休止状態を示す休止状態データを有する所定の形式の伝送データを生成し、当該生成した伝送データ、又は前記多重化部が生成した放送データを有する伝送データを予め定めた時間間隔で放送伝送路に送信する送信処理部と、を備える送信装置である。
【０００８】
（２）本発明のその他の態様は、（１）の送信装置であって、前記休止状態データの一つ当たりの情報量は、前記放送データの送信に割り当てられた情報量に応じた情報量であることを特徴とする。
【発明の効果】
【０００９】
本発明によれば、受信側で放送サービスの休止が識別可能になる。
【図面の簡単な説明】
【００１０】
【図１】本発明の第１の実施形態に係る放送システムを示す概略ブロック図である。
【図２】本実施形態に係る送信装置の構成例を示す概略ブロック図である。
【図３】本実施形態に係る受信装置の構成例を示す概略ブロック図である。
【図４】ＴＬＶパケットを生成、挿入する処理を示す概念図である。
【図５】ＴＬＶパケットの構成例を示す図である。
【図６】伝送制御信号の構成例を示す図である。
【図７】ＴＬＶパケットが挿入された伝送スロットの例を示す概念図である。
【図８】本実施形態に係る送信処理の例を示すフローチャートである。
【図９】本実施形態に係る受信処理の例を示すフローチャートである。
【図１０】ＴＬＶパケットを格納したＩＰパケットの例を示す図である。
【図１１】本発明の第２の実施形態に係る送信装置の構成例を示す概略ブロック図である。
【図１２】放送システムを応用したコンテンツ配信システムの構成例を示す概略ブロック図である。
【発明を実施するための形態】
【００１１】
（第１の実施形態）
以下、図面を参照しながら本発明の実施形態について説明する。
図１は、本実施形態に係る放送システム１を示す概略ブロック図である。
放送システム１は、送信装置１１、放送伝送路２１及び受信装置３１を含んで構成される。
送信装置１１は、放送番組を構成するメディア（例えば、映像、音声）を符号化した放送データを放送伝送路２１に送信する。送信装置１１は、例えば、放送送信機、中継局装置である。送信装置１１は、放送データを送信しない場合には、休止状態を示す休止タイプメッセージを有する所定の形式の伝送データを生成する。送信装置１１は、生成した伝送データを放送伝送路２１に送信する。
【００１２】
放送伝送路２１は、送信装置１１が送信した伝送データを受信装置３１に一方的、かつ同時に伝送する伝送路である。放送伝送路２１は、無線、有線、又はその組み合わせ、例えば、自由空間で伝搬する予め定めた周波数帯域の電波である。この周波数帯域は、放送サービスを提供するチャネル毎に予め定められた周波数帯域であってもよい。
【００１３】
受信装置３１は、放送伝送路２１から所定の形式の伝送データを受信する。受信装置３１は、例えば、中継局装置、復調装置である。受信装置３１が、受信した伝送データが休止状態を示す休止状態データ（例えば、休止タイプメッセージ）を有する場合、休止状態であると判定する。受信装置３１は、受信した伝送データがその休止状態データを有しない場合には、伝送データから放送データを抽出する。受信装置３１は、伝送データに複数種類の放送データがある場合には、その放送データを種類毎に抽出することで各種類の放送データに分離する。受信装置３１は、抽出又は分離した放送データを受信装置３１に接続されている他機器（例えば、端末装置５１、５２、図１２）に送信する。他機器は、例えば、テレビジョン受信機、携帯端末装置、多機能携帯電話機、等、放送データを受信し、受信した放送データに基づくメディアを提示して放送サービスを提供する電子機器である。
【００１４】
（送信装置の構成例）
次に、本実施形態に係る送信装置１１の構成例について説明する。
図２は、本実施形態に係る送信装置１１の構成例を示す概略ブロック図である。
送信装置１１は、データ入力部１１１、休止状態設定部１１２、多重化部１１３及び送信処理部１１４を含んで構成される。
【００１５】
データ入力部１１１は、放送番組等のコンテンツを構成するメディアに係る放送データが入力され、入力された放送データを多重化部１１３に出力する。ここで、データ入力部１１１は、例えば、符号化された放送データであるメディアコンポーネントを格納したＩＰパケットを他機器（例えば、コンテンツ編集装置、録画装置、等）から有線又は無線で受信する。
【００１６】
データ入力部１１１は、放送データとしてメディア信号が入力され、そのメディアの種類に応じた方式で入力されたメディア信号を符号化してメディアコンポーネントを生成する符号化部を備えてもよい。符号化部は、例えば、映像信号をＭＰＥＧ−４  ＡＶＣ（Ａｄｖａｎｃｅｄ  Ｖｉｄｅｏ  Ｃｏｄｉｎｇ）方式で符号化してもよい。また、符号化部は、例えば、音声信号をＭＰＥＧ−４オーディオ符号化方式で符号化してもよい。そして、データ入力部１１１は、生成したメディアコンポーネントを放送データとして多重化部１１３に出力する。
【００１７】
休止状態設定部１１２は、放送データを送信しない場合、その放送データを送信しない状態である休止状態を示す休止状態データを多重化部１１３に設定する。
休止状態設定部１１２は、ユーザ（例えば、放送事業者）による予め定めた操作入力（例えば、ボタン押下）を検出して、休止状態データを設定してもよい。また、休止状態設定部１１２は、他機器（例えば、監視装置、放送制御装置、等）から有線又は無線で休止状態データを受信し、受信した休止状態データを多重化部１１３に設定してもよい。
なお、休止状態設定部１１２は、データ入力部１１１に放送データが、予め定めた継続時間の閾値よりも長時間継続して入力されなかった場合に、休止状態データを多重化部１１３に設定してもよい。
【００１８】
また、休止状態設定部１１２は、放送サービスの種別（例えば、放送局、放送チャネル等）毎に休止状態データを設定してもよい。休止状態設定部１１２は、放送データがＩＰパケットに格納される場合には、その送信先アドレスならびにポート番号に基づいて放送サービスの種別を判定してもよい。その場合には、休止状態設定部１１２は、後述するサービス対応データを用いて放送サービスの種別を判定してもよい。
【００１９】
多重化部１１３は、データ入力部１１１から入力された放送データを含む所定の形式（例えば、ＴＬＶパケット）の伝送データを生成する。多重化部１１３は、複数の放送データが入力される場合には、入力された複数の放送データを多重化して所定の形式の伝送データを生成する。複数の放送データとは、１つの放送番組等のコンテンツを構成する複数の放送データ（例えば、映像、音声及びテキスト）であってもよいし、複数のコンテンツのそれぞれを構成する複数の放送データであってもよい。ここでは、入力された放送データが１種類であっても、その放送データに基づいて所定の形式の伝送データを生成することを多重化と呼ぶことがある。
【００２０】
休止状態データが休止状態設定部１１２によって設定された場合には、多重化部１１３は、休止状態データを有する所定の形式の伝送データ（例えば、休止タイプメッセージを有する制御タイプＴＬＶパケット）を生成する。そして、多重化部１１３は、生成した伝送データを送信処理部１１４に出力する。
【００２１】
送信処理部１１４は、多重化部１１３から入力された伝送データを予め定めた時間間隔で放送伝送路２１に送信する。ここで、送信処理部１１４は、入力された伝送データを伝送スロットに順次挿入する。伝送スロットとは、伝送路符号化処理又は伝送路復号処理を行う単位である。送信処理部１１４は、例えば、「高度広帯域デジタル放送の伝送方式」標準規格（ＡＲＩＢ  ＳＴＤ−Ｂ４４第１．０版）で規定されている伝送路符号化方式を用いて伝送データを符号化及び変調する。
【００２２】
送信処理部１１４は、この伝送路符号化方式を用いて伝送データを符号化する場合、伝送スロット毎に入力された伝送データに誤り訂正符号を付加する。送信処理部１１４は、誤り訂正符号を付加した伝送データを変調し、変調した伝送データを変調信号として予め定めた情報量（例えば、５６１０バイト）ならびに予め定めた時間間隔（例えば、５ｍｓ）毎に放送伝送路２１に送信する。
なお、入力された伝送データが割り当てられなかった伝送スロット又はその領域（余剰領域）には、送信処理部１１４は、所定のダミーデータ（例えば、ヌルタイプＴＬＶパケット）を挿入する。
【００２３】
送信処理部１１４は、入力された伝送データにＩＰパケットが含まれる場合、そのＩＰパケットのヘッダ部に示されている送信先アドレス及びポート番号に基づいて、放送サービスの種別を判定する。そこで、送信処理部１１４には、送信先アドレスならびにポート番号、放送サービスの種別、及びその種別の放送サービスに割り当てる伝送スロットとの対応関係を示すサービス対応データを予め設定しておく。送信処理部１１４は、サービス対応データを用いて、判定した放送サービスの種別に対応した伝送スロットに入力された伝送データを割り当ててもよい。
【００２４】
後述するように、送信処理部１１４に入力された伝送データであるＴＬＶパケットには、ＩＰパケットのヘッダ部が圧縮されていることがある。その場合には、送信処理部１１４は、放送サービスの種別を判定する前に、圧縮したヘッダ部を復元する。また、多重化部１１３は、ＩＰパケットを含むＴＬＶパケットを生成する処理を省略し、送信処理部１１４にＩＰパケットがそのまま入力されてもよい。その場合には、送信処理部１１４は、放送サービスの種別を判定した後で、ＩＰパケットのヘッダ部を圧縮してＴＬＶパケットを生成してもよい。
【００２５】
なお、ＴＬＶパケットに伝送制御信号として、送信先アドレスとポート番号が含まれている場合には、送信処理部１１４は、その送信先アドレスとポート番号に基づいて、放送サービスの種別を判定してもよい。また、ＴＬＶパケットに伝送制御信号として、放送サービスの種別を示すデータが含まれている場合には、送信処理部１１４はそのデータが示すサービスの種別を特定してもよい。
【００２６】
（受信装置の構成例）
次に、本実施形態に係る受信装置３１の構成例について説明する。
図３は、本実施形態に係る受信装置３１の構成例を示す概略ブロック図である。
受信装置３１は、受信処理部３１１、休止状態判定部３１２、多重分離部３１３及びデータ出力部３１４を含んで構成される。
【００２７】
受信処理部３１１は、放送伝送路２１から予め定めた時間間隔で所定の形式（例えば、ＴＬＶパケット）の伝送データである変調信号を受信する。
ここで、受信処理部３１１は、放送伝送路２１から予め定めた時間間隔で伝送スロットを受信し、それぞれ受信した伝送スロットから所定の形式（例えば、ＴＬＶパケット）の伝送データである変調信号を抽出する。受信処理部３１１は、送信処理部１１４が用いた伝送路符号化方式に対応する伝送路復号方式を用いて、抽出した変調信号を復調して復調データを生成する。受信処理部３１１は、生成した復調データから誤り訂正符号を抽出し、抽出した誤り訂正符号を用いて復号データについて誤り訂正処理を行って送信処理部１１４が送信した伝送データを取得する。
【００２８】
受信処理部３１１には、送信処理部１１４に設定されたサービス対応データと同一のサービス対応データを予め設定させておいてもよい。その場合、受信処理部３１１は、そのサービス対応データに基づき伝送スロット毎に放送サービスの種別を特定し、受信した伝送スロットに対応する放送サービスの種別毎に伝送データを抽出してもよい。
受信処理部３１１は、抽出した伝送データに所定のダミーデータが含まれている場合、そのダミーデータを廃棄する。受信処理部３１１は、残された伝送データを休止状態判定部３１２に出力する。
【００２９】
休止状態判定部３１２は、受信処理部３１１から入力された伝送データに基づいて送信装置１１が休止状態であるか否かを判定する。ここで、入力された伝送データが休止状態データを有する（例えば、休止タイプメッセージを有する制御タイプＴＬＶパケット）場合、休止状態判定部３１２は、送信装置１１が休止状態であると判定する。その場合、休止状態判定部３１２は、入力された受信データを廃棄する。
【００３０】
入力された伝送データが休止状態データを有しない場合、休止状態判定部３１２は、送信装置１１が休止状態ではないと判定する。その場合、休止状態判定部３１２は、入力された伝送データを多重分離部３１３に出力する。
なお、休止状態判定部３１２は、休止状態であるか否かの判定を放送サービスの種別毎に行ってもよい。その場合、休止状態判定部３１２は、入力された伝送データを受信処理部３１１で抽出した伝送スロットに対応付けられた放送サービスの種別毎に、その判定を行ってもよい。
【００３１】
多重分離部３１３は、休止状態判定部３１２から入力された所定の形式（例えば、ＴＬＶパケット）の伝送データから放送データを分離する。入力された受信データが複数の放送データを有する場合には、多重分離部３１３は、その複数の放送データの各々を分離する。放送データがＩＰパケットに格納されている場合には、多重分離部３１３は、その送信先アドレスならびにポート番号で示される放送サービス毎に放送データを分離してもよい。そのＩＰパケットが圧縮ヘッダパケットである場合には、多重分離部３１３は、その圧縮ヘッダパケットについて情報量の圧縮に用いた方式に対応した復元方式を用いて、ヘッダを復元してＩＰパケットを再構成してもよい。
多重分離部３１３は、分離した放送データをデータ出力部３１４に出力する。
【００３２】
データ出力部３１４は、多重分離部３１３から入力された放送データを他機器（例えば、端末装置５１、５２、図１２）に出力する。入力された放送データがメディアコンポーネントを格納したＩＰパケットである場合には、その送信先アドレスで指定された機器にネットワークを介して送信してもよい。
データ出力部３１４は、入力された放送データがメディアコンポーネントである場合には、そのメディアの種類に応じた方式で復号してメディア信号を生成する復号部を備えてもよい。その復号方式は、そのメディアコンポーネントを生成する際に用いられた符号化方式に対応する復号方式である。
【００３３】
（ＴＬＶパケット）
次に、ＴＬＶパケットについて説明する。
図４は、ＴＬＶパケットを生成、挿入する処理を示す概念図である。
図４の左上には、多重化部１１３がＩＰパケットからＴＬＶパケットを生成する処理が示されている。ＩＰパケットは、ヘッダ部とデータ部（ペイロード）とから構成される。多重化部１１３は、ヘッダ部について公知の可逆圧縮処理（例えば、ランレングス圧縮法）を行って圧縮ヘッダを生成してもよい（（１）ヘッダ圧縮）。その場合でも、多重化部１１３は、データ部については可逆圧縮処理を行わなくてもよい。そして、多重化部１１３は、圧縮ヘッダとデータ部に所定のデータをヘッダ部として新たに付加し、新たに付加したヘッダ部、圧縮ヘッダ及びデータ部とを含むＴＬＶパケットを生成する（（２）カプセル化）。新たに付加したヘッダ部には、格納されているデータの種別を示すパケット種別とデータ長を示すデータが含まれる。
なお、多重化部１１３は、入力されたＩＰパケットについてヘッダ圧縮を行わずに、そのままカプセル化を行ってＴＬＶパケットを生成してもよい。また、その他のデータについてカプセル化を行ってＴＬＶパケットを生成してもよい。
【００３４】
図４の右上には、多重化部１１３又は送信処理部１１４が生成した伝送制御信号（（３）伝送制御信号生成）に、ヘッダ部としてパケット種別とデータ長を示すデータを付加したＴＬＶパケットを生成する処理（（４）カプセル化）が示されている。
伝送制御信号には、例えば、上述した休止状態データ、送信先アドレスならびにポート番号、放送サービスの種別を示すデータ等、伝送の制御に関わるデータを適用してもよい。
【００３５】
図４の下方には、送信処理部１１４が、生成されたＴＬＶパケットを伝送スロットに挿入する処理（（５）伝送スロットに挿入）が示されている。伝送スロットの先頭（図４では左方）には、予め定めた容量及び形式のデータであるスロットヘッダが付加される。ＴＬＶパケットの容量は個々に異なることがあるのに対し、各伝送スロットの情報量は、予め定められた一定量である。従って、１個の伝送スロットに含まれるＴＬＶパケットの個数は可変である。スロットヘッダは、各ＴＬＶパケットの先頭位置を示すデータを含んでもよい。これにより、受信処理部３１１は、スロットヘッダで指定された先頭位置に格納されたＴＬＶパケットを伝送スロットから抽出することができる。
【００３６】
図５は、ＴＬＶパケットの構成例を示す図である。
図５は、ＴＬＶパケットを構成するデータの内訳を左側から右側に送出される順序（送出順）が早い順に示す。
ＴＬＶパケットは、値‘０１’を有するデータ、値‘１１１１１１’を有するデータ、パケット種別及びデータ長を示すデータをヘッダ部として、８×Ｎ（Ｎは、０よりも大きい整数）ビットのデータを格納するパケットである。ヘッダ部を構成する各項目のデータの情報量は、それぞれ、２、６、８、１６ビットである。ここで、パケット種別は、格納されるデータの種別（データタイプ）を示す。パケット種別は、例えば、伝送制御信号を示す制御タイプ、所定のダミーデータを示すヌルタイプ、ＩＰパケット、ヘッダ部が圧縮されたヘッダ圧縮ＩＰパケット、等がある。受信処理部３１１、休止状態判定部３１２及び多重分離部３１３は、ＴＬＶに含まれるパケット種別に基づいて、ＴＬＶパケットの種別や、格納されるデータの種別を判定することができる。
【００３７】
図６は、伝送制御信号の構成例を示す図である。
図６は、伝送制御信号を構成するデータの内訳を左方から右方に向けて送出される順序が早い順に示す。
伝送制御信号は、テーブル識別子、セクションシンタクス指示、値‘１’を有するデータ、値‘１１’を有するデータ、セクション長、テーブル識別子拡張、値‘１１’を有するデータ、バージョン番号、カレントネクスト指示、セクション番号及び最終セクション番号を示すデータをヘッダ部として、８×Ｎ（Ｎは、０よりも大きい整数）ビットのデータを格納するパケットである。
【００３８】
テーブル識別子は、伝送制御信号の種別を示すデータである。例えば、予め定めた値、例えば、値‘０ｘｆｄ’を示すテーブル識別子は、伝送制御信号の種別が休止状態データ（休止タイプメッセージ）であることを示す。先頭の‘０ｘ’は、後続する‘ｆｄ’が１６進数であることを示す識別子である。そこで、送信装置１１において、多重化部１１３は、値‘０ｘｆｄ’を有するテーブル識別子を含むＴＬＶパケットを生成する。また、多重化部１１３は、ＴＬＶパケットを生成する際、所定のダミーデータ（例えば、所定の値‘０ｘｆｆ’が連続するデータ列）を休止状態データとしてデータ部に格納する。受信装置３１において、休止状態判定部３１２は、テーブル識別子が値‘０ｘｆｄ’を示すＴＬＶパケットが休止状態データを有すると判定する。これにより、休止状態データは、従来は伝送データがない場合に休止状態であるか否かに関わらず挿入されていたダミーデータ（例えば、ヌルタイプＴＬＶパケット）と、テーブル識別子又は格納されるデータの値に基づいて区別される。
【００３９】
また、多重化部１１３は、ＴＬＶパケットを生成する際、送信処理部１１４において放送データに割り当てられる伝送スロット数に応じた情報量のダミーデータ（例えば、値‘０ｘｆｆ’が連続するデータ列）をＴＬＶパケットのデータ部に格納する。ここで、多重化部１１３は、放送データに割り当てられる情報量が多いほど、休止状態データとしてＴＬＶパケット一つ当たりに格納するダミーデータの情報量を多くする。例えば、割り当てられる伝送スロット数が１〜５個である場合、多重化部１１３は、一つのＴＬＶパケットに所定の情報量（例えば、５１２バイト）を有するダミーデータを格納する。他方、多重化部１１３は、割り当てられる伝送スロット数がより多い場合（例えば、１２０個）、より多い情報量（例えば、１４００バイト）を有するダミーデータを格納する。また、多重化部１１３は、放送データを伝送するならば、放送データに割り当てられるべき情報量のダミーデータを休止状態データとして格納してもよい。
【００４０】
これより、より多くの伝送スロットを用いる高いビットレートの伝送では、より情報量が多い休止状態データがＴＬＶパケットに格納される。他方、より少ない伝送スロットを用いる低いビットレートの伝送では、より少ない情報量が少ない休止状態データがＴＬＶパケットに格納される。従って、送信処理部１１４が伝送スロットに挿入するＴＬＶパケットの数や、受信処理部３１１が伝送スロットから抽出するＴＬＶパケット数の変化が、ＴＬＶパケットの情報量を一定にした場合よりも緩和される。特に、伝送容量が多い場合には、処理すべきＴＬＶパケット数が増加することによって送信処理部１１４における伝送路符号化処理の処理量や受信処理部３１１における伝送路復号処理の処理量が著しく増加することを防ぐことができる。また、処理可能なＴＬＶパケット数の上限が予め定められている場合には、その上限を超過することを防ぐことができる。
なお、多重化部１１３は、放送サービスの種別毎に、その放送サービスに割り当てられる伝送スロット数に応じた情報量のダミーデータを格納してもよい。
【００４１】
（伝送スロット）
次に、伝送スロットについて説明する。
図７は、ＴＬＶパケットが挿入された伝送スロットの例を示す概念図である。
図７の各行は、送信処理部１１４が伝送スロット＃１〜＃３のそれぞれに挿入したＴＬＶパケットの例を示す。ここで、伝送スロットの番号＃１等、ＴＬＶパケットの番号＃１等が小さいほど、それぞれ送出される順序が早いことを示す。
伝送スロット＃１には、ＴＬＶパケット＃１の全体とＴＬＶパケット＃２の前半が挿入されたことを示す。伝送スロット＃２には、ＴＬＶパケット＃２の後半とＴＬＶパケット＃３の後半が挿入されたことを示す。伝送スロット＃３には、ＴＬＶパケット＃３の後半とヌルタイプＴＬＶパケットが挿入されたことを示す。
【００４２】
図７に示すように、送信処理部１１４は、入力されたＴＬＶパケットを伝送スロットに順次格納し、ＴＬＶパケットが格納できなかった部分が生じた場合には、その部分を次の伝送スロットに格納する。これは、各伝送スロットの容量が一定であるのに対し、各ＴＬＶパケットの情報量が可変であるところ、伝送スロットに空き領域ができないようにするためである。
また、伝送スロット＃３の後半に示されるヌルタイプＴＬＶパケットは、ＴＬＶパケット＃１〜＃３だけでは満たすことができずに生じうる、伝送スロット＃３の空き領域を満たすために挿入されたダミーデータ（パディング）を含むパケットである。
【００４３】
次に、本実施形態に係る送信処理の例について説明する。
図８は、本実施形態に係る送信処理の例を示すフローチャートである。
（ステップＳ１０１）データ入力部１１１には、コンテンツを構成する放送データ（例えば、ＩＰパケットに格納されたメディアコンポーネント）が入力される。その後、ステップＳ１０２に進む。
（ステップＳ１０２）多重化部１１３は、放送データを送信しない休止状態を示す休止状態データが、休止状態設定部１１２により設定されたか否かを判定する。休止状態データが設定されたと判定した場合には（ステップＳ１０２  ＹＥＳ）、ステップＳ１０３に進む。休止状態データが設定されていないと判定した場合には（ステップＳ１０２  ＮＯ）、ステップＳ１０４に進む。
【００４４】
（ステップＳ１０３）多重化部１１３は、休止状態データを有する所定の形式の伝送データ（例えば、休止タイプメッセージを有する制御タイプＴＬＶパケット）を生成する。その後、ステップＳ１０５に進む。
（ステップＳ１０４）多重化部１１３は、入力された放送データを含む所定の形式の伝送データ（例えば、ＩＰパケットを有するＴＬＶパケット）を生成する。その後、ステップＳ１０５に進む。
【００４５】
（ステップＳ１０５）送信処理部１１４は、多重化部１１３が生成した伝送データを伝送スロットに挿入することで、予め定めた時間間隔で伝送データを放送伝送路２１に送信する。休止状態データを有する伝送データと放送データを有する伝送データとで満たされない伝送スロットには、送信処理部１１４は、所定のダミーデータ（例えば、ヌルタイプＴＬＶパケット）を挿入する。その後、図８に係る送信処理を終了する。
【００４６】
次に、本実施形態に係る受信装置３１が行う受信処理の例について説明する。
図９は、本実施形態に係る受信処理の例を示すフローチャートである。
（ステップＳ２０１）受信処理部３１１は、放送伝送路２１から予め定めた時間間隔で所定の形式（例えば、ＴＬＶパケット）の伝送データを受信する。ここで、受信処理部３１１は、伝送スロットから所定の形式の伝送データを抽出する。抽出した伝送データに所定のダミーデータが含まれている場合、そのダミーデータを廃棄する。その後、ステップＳ２０２に進む。
【００４７】
（ステップＳ２０２）休止状態判定部３１２は、受信処理部３１１から入力された伝送データが休止状態データを有するか（例えば、休止タイプメッセージを有する制御タイプＴＬＶパケット）否かに基づいて送信装置１１が休止状態であるか否かを判定する。休止状態であると判定された場合には（ステップＳ２０２  ＹＥＳ）、ステップＳ２０３に進む。休止状態ではないと判定された場合には（ステップＳ２０２  ＮＯ）、ステップＳ２０４に進む。
【００４８】
（ステップＳ２０３）休止状態判定部３１２は、受信した休止状態データを廃棄する。その後、図９に係る受信処理を終了する。
（ステップＳ２０４）多重分離部３１３は、受信した伝送データから放送データ（例えば、ＩＰパケットに格納されたメディアコンポーネント）を分離する。その後、ステップＳ２０５に進む。
（ステップＳ２０５）データ出力部３１４は、多重分離部３１３が分離した放送データを他機器、例えば、ネットワークで接続された端末装置５１（図１２）に出力する。その後、図９に係る受信処理を終了する。
【００４９】
（変形例）
なお、上述では、送信装置１１（図２）において、データ入力部１１１、休止状態設定部１１２及び多重化部１１３を含む多重化装置(図示せず)と、送信処理部１１４とを含む放送送信機（図示せず）とが一体化している場合を例にとって説明した。本実施形態では、これには限られず、その多重化装置と放送送信機が別個に構成されていてもよい。その場合、多重化部１１３と送信処理部１１４との間は、ネットワーク（例えば、ＬＡＮ（Ｌｏｃａｌ  Ａｒｅａ  Ｎｅｔｗｏｒｋ、構内通信網）、専用回線、等）で接続されていてもよい。
【００５０】
ここで、多重化部１１３は、データ入力部１１１から入力された放送データに基づいて生成したＴＬＶパケットについて伝送路符号化処理を行い、そのＴＬＶパケットを格納したＩＰパケットを生成する。多重化部１１３は、生成したＩＰパケットを送信処理部１１４に送信する。送信処理部１１４は、多重化部１１３から受信したＩＰパケットを伝送路復号して、そのＩＰパケットからＴＬＶパケットを抽出する。送信処理部１１４は、上述したように抽出したＴＬＶパケットを伝送スロットに挿入する。
【００５１】
また、受信装置３１（図３）において、受信処理部３１１及び休止状態判定部３１２を含む復調器（図示せず）と、多重分離部３１３及びデータ出力部３１４を含む多重分離装置(図示せず)とが一体化している場合を例にとって説明した。本実施形態では、これには限られず、その復調器と受信装置が別個に構成されていてもよい。その場合、休止状態判定部３１２と多重分離部３１３との間は、ネットワークで接続されていてもよい。
【００５２】
ここで、休止状態判定部３１２は、多重化部１１３と同様に、休止状態データを有しないと判定されたＴＬＶパケットを伝送路符号化して、そのＴＬＶパケットを格納したＩＰパケットを生成する。休止状態判定部３１２は、生成したＩＰパケットを多重分離部３１３に送信する。多重分離部３１３は、休止状態判定部３１２と同様に、休止状態判定部３１２から受信したＩＰパケットを伝送路復号して、そのＩＰパケットからＴＬＶパケットを抽出する。多重分離部３１３は、上述したように抽出したＴＬＶパケットから放送データを分離する
【００５３】
次に、多重化部１１３又は休止状態判定部３１２が生成したＴＬＶパケットを格納したＩＰパケットの例について説明する。
図１０は、ＴＬＶパケットを格納したＩＰパケットの例を示す図である。
図１０の最上行は、ＴＬＶパケットを格納したＩＰパケットを示す。このＩＰパケットは、ヘッダ部にＩＰｖ４（Ｉｎｔｅｒｎｅｔ  Ｐｒｏｔｏｃｏｌ  ｖｅｒｓｉｏｎ  ４）ヘッダ及びＵＤＰ（Ｕｓｅｒ  Ｄａｔａｇｒａｍ  Ｐｒｏｔｏｃｏｌ）ヘッダを有し、データとしてＴＬＶパケットを有する。ＩＰｖ４ヘッダには、送信先アドレスとして送信処理部１１４又は多重分離部３１３のＩＰｖ４がそれぞれ含まれることがある。多重化部１１３又は休止状態判定部３１２が、送信先の機器として、それぞれ送信処理部１１４又は多重分離部３１３のみに接続されている場合には、送信先アドレスとして、例えば予め定めたブロードキャストアドレスが用いられてもよい。ＵＤＰヘッダを有することで、ＵＤＰプロトコルを用いて高い転送速度でデータを送信することが指定される。
【００５４】
図１０の第２行〜第４行は、それぞれＴＬＶパケットの例を示す。いずれも、ヘッダ部に値‘０ｘ７ｆ’を有するデータ、パケット種別、データ長を有する。値‘０ｘ７ｆ’を有するデータは、冒頭の値‘０１’を有するデータ（図５）と後続する値‘１１１１１１’を有するデータ（図５）とを結合したデータに相当する。
図１０の第２行〜第４行は、パケット種別がそれぞれ、ＩＰｖ６（Ｉｎｔｅｒｎｅｔ  Ｐｒｏｔｏｃｏｌ  ｖｅｒｓｉｏｎ  ６）パケット、圧縮ヘッダパケット（ｃＩＰ）、伝送制御信号（ｓｉｇｎａｌｌｉｎｇ）であるＴＬＶパケットである。第２行、第３行に示されるＴＬＶパケットには、そのデータ領域にそれぞれＭＭＴ（ＭＰＥＧ（Ｍｏｖｉｎｇ  Ｐｉｃｔｕｒｅ  Ｅｘｐｅｒｔ  Ｇｒｏｕｐ）  Ｍｅｄｉａ  Ｔｒａｎｓｐｏｒｔ）パケットを含む。ＭＭＴパケットは、多様なメディアに係るメディアコンポーネントを格納するパケットである。また、第３行に示される圧縮ヘッダは、第２行に示されるＩＰｖ６ヘッダとＵＤＰヘッダの情報量を圧縮したヘッダである。
【００５５】
なお、図１０では、ＴＬＶパケットを格納するＩＰｖ４パケットであり、そのＴＬＶパケットがＩＰｖ６パケットを格納する場合を例にとって説明したが、本実施形態ではこれには限られない。多重化部１１３又は休止状態判定部３１２は、ＴＬＶパケットを格納するＩＰｖ６パケットを生成してもよいし、そのＴＬＶパケットはＩＰｖ４パケット、ＩＰｖ６パケットのいずれを格納するものであってもよい。
【００５６】
このように、本実施形態によれば、送信装置１１において、放送されるコンテンツに係る放送データを多重化して所定の形式の伝送データを生成し、放送データを送信しない休止状態を設定する。また、送信装置１１では、生成した放送データを有する伝送データ、又は設定した休止状態を示す休止状態データを有する所定の形式の伝送データを予め定めた時間間隔で放送伝送路２１に送信する。
また、本実施形態では、受信装置３１において、送信装置１１が送信した伝送データを放送伝送路２１から受信し、受信した伝送データが休止状態データを有するか否かに基づいて送信装置１１が放送データを送信しない休止状態か否かを判定する。
そのため、本実施形態では、意図的な放送サービスの休止と偶発的な障害とを識別することができる。ひいては、本実施形態は放送サービスの提供状況の管理に資する。
【００５７】
（第２の実施形態）
次に、本発明の第２の実施形態について説明する。第１の実施形態と同一の構成については同一の符号を付して説明を援用する。
本実施形態に係る放送システム１ａ（図示せず）は、送信装置１１ａ、放送伝送路２１及び受信装置３１を含んで構成される。即ち、放送システム１ａは、放送システム１（図１）において送信装置１１に代えて、送信装置１１ａを備える。
【００５８】
図１１は、本実施形態に係る送信装置１１ａの構成例を示す概略ブロック図である。
送信装置１１ａは、データ入力部１１１、休止状態設定部１１２ａ、多重化部１１３ａ及び送信処理部１１４ａを備える。
休止状態設定部１１２ａは、放送データを送信しない状態である休止状態を示す休止状態データを送信処理部１１４ａに設定する。休止状態設定部１１２ａが休止状態データを取得する処理は、休止状態設定部１１２（図２）と同様であってもよい。但し、休止状態データの設定先が送信処理部１１４ａである点が、多重化部１１３（図２）である休止状態設定部１１２とは異なる。
休止状態設定部１１２ａは、多重化部１１３（図２）と同様に、休止状態データを有するＴＬＶパケットを生成する際、放送データに割り当てられる伝送スロット数に応じた情報量のダミーデータをデータの領域に格納してもよい。
【００５９】
多重化部１１３ａは、多重化部１１３（図２）と同様に、データ入力部１１１から入力された放送データを含む所定の形式（例えば、ＴＬＶパケット）の伝送データを生成し、生成した伝送データを送信処理部１１４に出力する。但し、多重化部１１３ａは、多重化部１１３とは異なり、休止状態データを有する所定の形式の伝送データを生成する処理を省略してもよい。
【００６０】
送信処理部１１４ａは、送信処理部１１４（図２）と同様に、多重化部１１３ａから入力された伝送データを伝送スロットに挿入することで放送伝送路２１に送信する。
休止状態データが休止状態設定部１１２によって設定された場合には、送信処理部１１４ａは、休止状態データを有する所定の形式の伝送データ（例えば、休止タイプメッセージを有する制御タイプＴＬＶパケット）を生成する。送信処理部１１４ａは、生成した伝送データを送信処理部１１４（図２）と同様に、伝送スロットに挿入することで放送伝送路２１に送信する。その場合には、多重化部１１３ａから伝送データが入力されるか否かに関わらず、送信処理部１１４ａは、その入力された伝送データを伝送スロットに挿入する処理を停止する。これにより、送信処理部１１４ａは、多重化部１１３ａから入力された伝送データの代わりに、休止状態データを有する所定の形式の伝送データを送信する。
【００６１】
なお、送信装置１１ａは、休止状態設定部１１２（図２）をさらに備え、休止状態設定部１１２が多重化部１１３ａに休止状態データを設定してもよい。その場合、多重化部１１３ａは、多重化部１１３（図２）と同様に、休止状態データを有する所定の形式の伝送データを生成し、生成した伝送データを送信処理部１１４ａに送信してもよい。
【００６２】
送信処理部１１４ａが休止状態データとして制御タイプのＴＬＶパケットを生成する場合、そのテーブル識別子は、多重化部１１３ａが休止状態データとして生成したＴＬＶパケットのテーブル識別子と同一であってもよいし、異なっていてもよい。例えば、後者が示す値が‘０ｘｆｄ’である場合、前者が示す値が‘０ｘｆｃ’であってもよい。その場合には、受信装置３１の休止状態判定部３１２は、休止状態データが設定された構成部が、多重化部１１３（図２）であるか送信処理部１１４ａであるかをテーブル識別子に基づいて識別することができる。
【００６３】
また、送信処理部１１４ａが休止状態データとして制御タイプのＴＬＶパケットを生成する場合、データ部に格納されるダミーデータの値が、多重化部１１３（図２）が休止状態データとして生成したＴＬＶパケットのダミーデータの値と同一であってもよいし、異なっていてもよい。例えば、後者の値が‘０ｘｆｆ’である場合、前者が示す値が‘０ｘｆｂ’であってもよい。その場合にも、受信装置３１の休止状態判定部３１２は、休止状態データが設定された構成部が、多重化部１１３（図２）であるか送信処理部１１４ａであるかをダミーデータの値に基づいて識別することができる。これにより、送信側において休止状態データを設定した構成が、送信装置１１ａの多重化部１１３ａであるか送信処理部１１４ａであるかを、受信装置３１は識別することができる。
【００６４】
このように、本実施形態によれば、送信装置１１の送信処理部１１４ａにおいて、放送データを送信しない休止状態を示す休止状態データが設定されたとき、当該休止状態データを有する所定の形式の伝送データを生成する。
そのため、本実施形態でも、第１の実施形態と同様に、受信装置３１において、受信した伝送データが休止状態データを有するか否かに基づいて送信装置１１が放送データを送信しない休止状態か否かを判定する。従って、本実施形態は、意図的な放送サービスの休止と偶発的な障害とを識別することができる。
【００６５】
（応用例）
上述した実施形態に係る放送システム１、１ａは、例えば、放送番組等のコンテンツを通信ネットワークに接続された端末装置に配信するコンテンツ配信システムに応用してもよい。放送システム１を応用したコンテンツ配信システム４の構成例について説明する。
【００６６】
図１２は、放送システム１を応用したコンテンツ配信システム４の構成例を示す概略ブロック図である。
コンテンツ配信システム４は、放送システム１、ホームネットワーク４１、端末装置５１、５２、ゲートウェイ装置５３及びインターネット６１を含んで構成される。
【００６７】
ホームネットワーク４１は、受信装置３１、端末装置５１、５２及びゲートウェイ装置５３の相互間でデータを伝送するネットワークである。端末装置５１、５２は、例えば、多機能携帯電話機（いわゆるスマートフォンを含む）、タブレット端末装置、パーソナルコンピュータ等、テレビジョン放送サービスを提供する機能を有する電子機器である。ここで、端末装置５１、５２は、受信装置３１が送信した放送データをＩＰパケットで受信することができる。
【００６８】
ゲートウェイ装置５３は、ホームネットワーク４１とインターネット６１との間を接続し、その相互間でデータを伝送する。これにより、端末装置５１、５２は、インターネット６１及びゲートウェイ装置５３に接続された他の機器との間でデータをＩＰパケットで送信又は受信することができる。
従って、コンテンツ配信システム４において、ホームネットワーク４１に接続された端末装置５１、５２は、通信によって取得したデータと放送されたコンテンツに係る放送データともに利用することができる。
【００６９】
ここで、放送データが送信されない休止状態において、休止状態を識別するために送信装置１１がＩＰアドレスとダミーデータとを含むＩＰパケットを生成し、生成したＩＰパケットを受信装置３１に送信することも考えられる。その場合、受信装置３１は、そのＩＰパケットを受信し、受信したＩＰパケットをそのＩＰアドレスで指定された機器を送信先としてホームネットワーク４１に送信する。そのため、ホームネットワーク４１におけるトラフィックが休止状態データで占有されるおそれがある。
【００７０】
これに対して、前述した実施形態では、送信装置１１は、所定の形式として制御タイプＴＬＶパケットに格納された休止状態データを受信装置３１に送信する。受信装置３１は、受信した休止状態データに基づいて休止状態であることを判定し、この休止状態データを廃棄する。そのため、ホームネットワーク４１におけるトラフィックが休止状態データで占有され、放送データの伝送に十分な伝送容量を確保することができないという問題を防ぐことができる。
【００７１】
前述では、コンテンツ配信システム４が放送システム１を備える場合を例にとって説明したが、コンテンツ配信システム４は、放送システム１の代わりに放送システム１ａを備えていてもよい。
また、コンテンツ配信システム４において、端末装置５１、５２は、受信装置３１及びインターネット６１に接続されていれば、必ずしもホームネットワーク４１に接続されていなくてもよい。例えば、端末装置５１、５２は、ホームネットワーク４１の代わりに公衆通信網に接続されていてもよい。また、受信装置３１及び端末装置５１、５２は、ともにインターネット６１に接続されていてもよい。
【００７２】
なお、上述した実施形態における受信装置３１の一部、例えば、受信処理部３１１、休止状態判定部３１２、多重分離部３１３及びデータ出力部３１４をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、受信装置３１に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
また、上述した実施形態における受信装置３１の一部、または全部を、ＬＳＩ（Ｌａｒｇｅ  Ｓｃａｌｅ  Ｉｎｔｅｇｒａｔｉｏｎ）等の集積回路として実現してもよい。受信装置３１の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【００７３】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００７４】
１、１ａ…放送システム、
１１、１１ａ…送信装置、１１１…データ入力部、１１２、１１２ａ…休止状態設定部、
１１３、１１３ａ…多重化部、１１４、１１４ａ…送信処理部、
２１…放送伝送路、３１…受信装置、３１１…受信処理部、３１２…休止状態判定部、
３１３…多重分離部、３１４…データ出力部、
４…コンテンツ配信システム、４１…ホームネットワーク、５１、５２…端末装置、
５３…ゲートウェイ装置、６１…インターネット
【図１】
2014204385.tif 000003
【図２】
2014204385.tif 000004
【図３】
2014204385.tif 000005
【図４】
2014204385.tif 000006
【図５】
2014204385.tif 000007
【図６】
2014204385.tif 000008
【図７】
2014204385.tif 000009
【図８】
2014204385.tif 000010
【図９】
2014204385.tif 000011
【図１０】
2014204385.tif 000012
【図１１】
2014204385.tif 000013
【図１２】
2014204385.tif 000014